(57)【要約】【課題】結露水の発生を増加させ、且つその結露水を浄化するフィルタの目詰まりを抑制できる空気調和装置を提供する。【解決手段】空気調和装置１は、室外ユニット２と、捕水ユニット７と、加湿ユニット２１とを備えている。捕水ユニット７は、外気に含まれる水分を結露させる結露熱交換器１１７を有している。加湿ユニット２１は、捕水ユニット７で採取された結露水を使用して室内を加湿する。捕水ユニット７は、室外ユニット２より上方に配置され、室外ユニット２より高い位置の外気から結露水を採取する。【選択図】図２
2008256284.tif 000002
【特許請求の範囲】
【請求項１】
蒸発器（１３）を有する室外ユニット（２）と、
外気に含まれる水分を結露させる結露手段（１１７）を有する捕水ユニット（７）と、
前記捕水ユニット（７）で採取された結露水を使用して室内を加湿する加湿ユニット（２１）と、
を備え、
前記捕水ユニット（７）が、前記室外ユニット（２）より上方に配置されている、
空気調和装置（１，１０１）。
【請求項２】
前記捕水ユニット（７）は、前記結露手段（１１７）に向う空気流を発生させるファン（１１８）をさらに有する、
請求項１に記載の空気調和装置（１）。
【請求項３】
前記ファン（１１８）がシロッコファンである、
請求項２に記載の空気調和装置（１）。
【請求項４】
前記結露手段（１１７）は、前記蒸発器（１３）が属する冷媒回路（１０）に含まれる第２蒸発器である、
請求項１から請求項３のいずれか１項に記載の空気調和装置（１）。
【請求項５】
前記結露手段（１１７）は、前記蒸発器（１３）が属する冷媒回路（１０）から独立した第２冷媒回路（１１０）に含まれる第２蒸発器である、
請求項１から請求項３のいずれか１項に記載の空気調和装置（１０１）。
【請求項６】
前記捕水ユニット（７）は、高温時に水分を脱離する吸着剤が担持された吸着熱交換器（１１６）をさらに有しており、
前記吸着熱交換器（１１６）は、前記第２蒸発器を含む冷媒回路（１０，１１０）の高圧側に接続され、前記第２蒸発器に向う空気流の通過領域内に配置されている、
請求項４又は請求項５に記載の空気調和装置（１，１０１）。
【発明の詳細な説明】
【技術分野】
【０００１】
本発明は、空気調和装置に関し、特に、暖房運転時に室内を加湿することができる空気調和装置に関する。
【背景技術】
【０００２】
近年、暖房運転時に室外熱交換器で発生した結露水を室内加湿に利用する空気調和装置が広く普及している（例えば、特許文献１参照）。特許文献１に記載の空気調和装置は、圧縮機、室内熱交換器、第１膨張弁、第１室外熱交換器、第２膨張弁および第２室外熱交換器の順に冷媒が循環する冷媒回路を備えている。冷媒が第１膨張弁で減圧された後さらに第２膨張弁で減圧されることによって、第２室外熱交換器の温度が常に氷点下となり結露水が発生する。外気の露点温度が高い場合には第１室外熱交換器でも結露する。第１室外熱交換器および第２室外熱交換器で発生した結露水は、加湿用の水として貯留され、浄化された後にポンプによって加湿手段へ搬送される。
【特許文献１】特開２００２−２１３７８０号公報
【発明の開示】
【発明が解決しようとする課題】
【０００３】
しかしながら、加湿用の水は、外気の水分を結露させることによって採取されているので、外気の絶対湿度が低い場合には、十分な結露水が発生せず、加湿用の水が不足する可能性がある。また、結露水は外気の塵埃を含んでいるので、水を浄化するフィルタが使用中に目詰まりする可能性がある。
【０００４】
本発明の課題は、結露水の発生を増加させ、且つその結露水を浄化するフィルタの目詰まりを抑制できる空気調和装置を提供することにある。
【課題を解決するための手段】
【０００５】
第１発明に係る空気調和装置は、蒸発器を有する室外ユニットと、捕水ユニットと、加湿ユニットとを備えている。捕水ユニットは、外気に含まれる水分を結露させる結露手段を有する。加湿ユニットは、捕水ユニットで採取された結露水を使用して室内を加湿する。捕水ユニットは、室外ユニットより上方に配置されている。
【０００６】
この空気調和装置では、捕水ユニットは、室外ユニットより高い位置の外気から結露水を採取するので、室外ユニットの高さ位置の外気から採取するよりも塵埃の含有量が少ない。その結果、結露水を浄化するフィルタが長く清浄に保たれる。
【０００７】
第２発明に係る空気調和装置は、第１発明に係る空気調和装置であって、捕水ユニットが、結露手段に向う空気流を発生させるファンをさらに有している。
【０００８】
この空気調和装置では、風量の調節が可能となるので、結露手段で適量の結露水が発生するように制御される。
【０００９】
第３発明に係る空気調和装置は、第２発明に係る空気調和装置であって、ファンがシロッコファンである。
【００１０】
この空気調和装置では、結露手段の空気抵抗が高くても、風量が確保される。
【００１１】
第４発明に係る空気調和装置は、第１発明から第３発明のいずれか１つに係る空気調和装置であって、結露手段が、蒸発器が属する冷媒回路に含まれる第２蒸発器である。
【００１２】
この空気調和装置では、冷媒の蒸発温度を制御して第２蒸発器で発生する結露水を増減することができるので、加湿用の水の過不足が防止される。
【００１３】
第５発明に係る空気調和装置は、第１発明から第３発明のいずれか１つに係る空気調和装置であって、結露手段が、蒸発器が属する冷媒回路から独立した第２冷媒回路に含まれる第２蒸発器である。
【００１４】
この空気調和装置では、第２蒸発器単独でも結露水が生成されるので、結露水を備蓄する運転が可能となり、加湿用の水の不足が防止される。
【００１５】
第６発明に係る空気調和装置は、第４発明又は第５発明に係る空気調和装置であって、捕水ユニットが吸着熱交換器をさらに有している。吸着熱交換器には、高温時に水分を脱離する吸着剤が担持されている。吸着熱交換器は、第２蒸発器を含む冷媒回路の高圧側に接続され、第２蒸発器に向う空気流の通過領域内に配置されている。
【００１６】
この空気調和装置では、吸着熱交換器が放熱器として高温となり、吸着剤が水分を脱離する。吸着熱交換器を通過してきた空気は吸着剤から脱離された水分を含んでいるので、吸着熱交換器がない場合に比べて第２蒸発器で発生する結露水は増加する。その結果、水不足による加湿能力の低下が防止される。
【発明の効果】
【００１７】
第１発明に係る空気調和装置では、捕水ユニットは、室外ユニットより高い位置の外気から結露水を採取するので、室外ユニットの高さ位置の外気から採取するよりも塵埃の含有量が少ない。その結果、結露水を浄化するフィルタが長く清浄に保たれる。
【００１８】
第２発明に係る空気調和装置では、風量の調節が可能となるので、結露手段で適量の結露水が発生するように制御される。
【００１９】
第３発明に係る空気調和装置では、結露手段の空気抵抗が高くても、風量を確保することができる。
【００２０】
第４発明に係る空気調和装置では、冷媒の蒸発温度を制御して第２蒸発器で発生する結露水を増減することができるので、加湿用の水の過不足が防止される。
【００２１】
第５発明に係る空気調和装置では、第２蒸発器単独でも結露水が生成されるので、結露水を備蓄する運転が可能となり、加湿用の水の不足が防止される。
【００２２】
第６発明に係る空気調和装置では、吸着熱交換器が放熱器として高温となり、吸着剤が水分を脱離する。吸着熱交換器を通過してきた空気は吸着剤から脱離された水分を含んでいるので、吸着熱交換器がない場合に比べて第２蒸発器で発生する結露水は増加する。その結果、水不足による加湿能力の低下が防止される。
【発明を実施するための最良の形態】
【００２３】
以下図面を参照しながら、本発明の実施形態について説明する。なお、以下の実施形態は、本発明の具体例であって、本発明の技術的範囲を限定するものではない。
【００２４】
＜空気調和装置の概略構成＞
図１は、本発明の実施形態に係る空気調和装置の構成図である。図１において、空気調和装置１は、冷媒が流通する冷媒回路１０を備えている。冷媒回路１０は、圧縮機１１、四路切換弁１２、室外熱交換器１３、第１膨張弁１４ａ、室内熱交換器１５及びアキュームレータ２０などが接続されることによって形成されている。圧縮機１１を出た冷媒は、四路切換弁１２によって室外熱交換器１３又は室内熱交換器１５のいずれか一方に流れる。
【００２５】
たとえば、暖房運転時、制御部４は四路切換弁１２に図１の実線で示した流路を選択させて冷媒を室内熱交換器１５へ流す。一方、冷房運転時には、制御部４は四路切換弁１２に図１の点線で示した流路を選択させて冷媒を室外熱交換器１３へ流す。第１膨張弁１４ａは、冷媒の流路を絞って冷媒を減圧する。アキュームレータ２０は、余分な液冷媒を溜めて圧縮機１１にガス冷媒だけを戻す。
【００２６】
冷媒回路１０は、吸着熱交換器１１６と結露熱交換器１１７とをさらに有している。吸着熱交換器１１６は、室内熱交換器１５と第１膨張弁１４ａとの間に接続されており、結露熱交換器１１７は、室外熱交換器１３と並列に接続されている。室外熱交換器１３と結露熱交換器１１７は共に蒸発器として機能し、特に、結露熱交換器１１７は、外気の水分を結露させることを目的とする。
【００２７】
吸着熱交換器１１６の表面には、ゼオライトを主成分とする吸着剤が担持されている。吸着剤は、ゼオライトに限定されるものではなく、シリカゲル、活性炭、親水性又は吸水性を有する有機高分子ポリマー系材料、カルボン酸基又はスルホン酸基を有するイオン交換樹脂系材料、感温性高分子等の機能性高分子材料などから選択される。
【００２８】
冷媒回路１０は、第２膨張弁１４ｂと第３膨張弁１４ｃとをさらに有している。第２膨張弁１４ｂは、結露熱交換器１１７の冷媒流れの上流に接続されている。第２膨張弁１４ｂは、第１膨張弁１４ａで減圧された冷媒をさらに減圧するので、結露熱交換器１１７での冷媒の蒸発温度は、室外熱交換器１３での冷媒の蒸発温度よりも低く、結露熱交換器１１７の温度は室外熱交換器１３の温度よりも低くなる。第３膨張弁１４ｃは、室内熱交換器１５と吸着熱交換器１１６との間に接続されている。第３膨張弁１４ｃは、室内熱交換器１５から吸着熱交換器１１６へ流れてくる冷媒を減圧するものであるが、通常は開いている。
【００２９】
室内熱交換器１５の近傍には加湿ユニット２１が配置されている。加湿ユニット２１は、室内熱交換器１５を通過して室内に吹出される空気に適度の水分を与える。加湿ユニット２１に供給される水は、タンク２３に貯留されている。タンク２３内の水は、結露熱交換器１１７で発生した結露水を浄化した水であり、その水はポンプ２５でくみ上げられホース２２を通って加湿ユニット２１に搬送される。加湿ユニット２１は、超音波式加湿器、加熱式加湿器および噴霧式加湿器などから選定される。
【００３０】
本実施形態では、室内熱交換器１５と加湿ユニット２１とは室内ユニット３側にあり、その他は、室外ユニット２側にある。制御部４は、ＣＰＵ及びメモリを内蔵しており、空気調和装置１の各機器を制御している。
【００３１】
＜室外ユニット２＞
図２は空気調和装置の室外ユニット及び捕水ユニットの構造を示す斜視図である。図２において、室外ユニット２の上方には、外気から水分を結露させて集める捕水ユニット７が配置されている。捕水ユニット７は、吸着熱交換器１１６、結露熱交換器１１７、ドレンパン３１ｂおよびファン１１８を含んでいる。ドレンパン３１ｂは、結露熱交換器１１７の下方に位置し、結露熱交換器１１７で発生した結露水をさらに下方へ流す。
【００３２】
捕水ユニット７の壁面には通気口１０２が設けられ、通気口１０２から所定距離は離れた位置には吹出口１１９が設けられている。ファン１１８は、静圧の高いシロッコファンであり、ファン１１８が回転することによって通気口１０２から外気が吸込まれ、その外気は、空気流Ａとなって吸着熱交換器１１６、結露熱交換器１１７を通過して、吹出口１１９から吹出される。ファン１１８が設けられることによって、吸着熱交換器１１６および結露熱交換器１１７を通過する風量の調節が自由になり、結露水の発生量が制御し易くなる。
【００３３】
室外ユニット２には、図１で示した圧縮機１１、四路切換弁１２、及び室外熱交換器１３が配置されている。また、室外ファン８１も配置されており、回転することによって外気を吸込み、室外熱交換器１３に外気を当てて冷媒との熱交換を活発にする。室外ユニット２の壁面には吹出口１０５が設けられており、室外熱交換器１３で熱交換された空気が吹出される。
【００３４】
室外ユニット２の下方には、水供給ユニット２６が配置されている。水供給ユニット２６は、ホース２２、タンク２３及びポンプ２５を含む。タンク２３内の水は、ポンプ２５によって汲み上げられホース２２を通って加湿ユニット２１に搬送される。
【００３５】
図３は、タンクの斜視図である。図３において、結露水は入口３２ａから浄水槽３２の内部に流入する。浄水槽３２の下方には、第１電磁弁３３と第２電磁弁３４が接続されている。第１電磁弁３３を通過した水は排水口５１から排出される。第２電磁弁３４を通過した水はタンク２３に入る。タンク２３の底面側には第３電磁弁３５が接続されており、第３電磁弁３５を通過した水は排水口５１から排出される。ポンプ２５は、タンク２３の底面側から水をくみ上げて三方弁３６に送り、三方弁３６から適量の水が加湿ユニット２１へ供給される。
【００３６】
タンク２３内の水は、殺菌のために紫外線ランプ３７から紫外線が照射されている。紫外線ランプ３７は、タンク２３の上部に取付けられるが、設置が容易であるので作業性がよい。殺菌手段は、紫外線ランプ３７に限定されるものではなく、例えば、オゾン発生器でもよい。
【００３７】
また、空気調和装置１が寒冷地に設置される場合は、タンク２３内の水の凍結を防止するために、ヒーターがタンク２３の近傍、或いはタンク２３内に配置される。ヒーターは常時作動している必要はなく、外気温が氷点下に達したときに作動すればよい。
【００３８】
なお、ヒーターは、タンク２３内の水の凍結を防止することができる加熱手段であればよい。例えば、電気式ヒーターの場合は、ニクロム線、シーズヒーター、カーボンヒーター、セラミックヒーター、シートヒーターなどから選択される。また、冷凍サイクル内の高圧側（圧縮機出口、凝縮器出口など）の配管をタンク２３下部又は近傍へ引き回して加熱するヒートポンプ式を選択することも可能である。さらに、２つの圧縮機を並列に接続し、一方の圧縮機をタンク２３近傍に配置して、その圧縮機の放熱でタンク２３内の水を加熱することもできる。
【００３９】
＜水の循環経路＞
図４は、水の循環経路を示す回路図である。図４に示すように、浄水槽３２の内部は、浄水フィルタ３２３によって第１槽３２１と第２槽３２２とに仕切られており、ドレンパン３１ｂから浄水槽３２に入った水は、先ず、第１槽３２１に貯留され、その後、浄水フィルタ３２３を通過して第２槽３２２に貯留される。水が浄水フィルタ３２３を通過する際には、水中に含まれる塵埃などの不純物が浄水フィルタ３２３によって除去される。
【００４０】
第１槽３２１内が満水状態になったときは、第１電磁弁３３が流路を開き排水する。第２槽３２２内の水は、第２電磁弁３４が流路を開いたときにタンク２３内へ流れる。タンク２３が満水状態になったときは、第２電磁弁３４が流路を閉じる。タンク２３内の水が不要になったときは、第３電磁弁３５が流路を開けて排水する。
【００４１】
三方弁３６は、ポンプ２５から送られてくる水を加湿ユニット２１に供給するだけでなく、必要に応じてその水を浄水槽３２の第２槽３２２へ戻している。水が第２槽３２２に戻されることによって、浄水後の水が浄水フィルタ３２３を通して浄水前の水側へ強制的に流されるので、浄水フィルタ３２３が清掃される。即ち、第２槽３２２から第１槽３２１へ水が逆流し、浄水フィルタ３２３の表面に堆積した不純物が第１槽３２１に戻される。このとき、第１電磁弁３３が流路を開けることによって、浄水フィルタ３２３に堆積した不純物を除去しながら第１槽３２１内の水を排出することができる。
【００４２】
本実施形態では、捕水ユニット７が室外ユニット２の上方に位置して外気を吸込むので、室外ユニットの高さ位置で吸込むよりも、外気に含まれる塵埃の量が少ない。したがって、浄水フィルタ３２３に不純物が堆積していく速度も遅く、浄水フィルタ３２３の状態は、長く清浄に維持される。
【００４３】
＜空気調和装置の動作＞
空気調和装置１は、四路切換弁１２で冷媒の流路を変更することによって冷房運転と暖房運転とを切り替えることができる。本実施形態では、冷媒回路１０が暖房運転用の回路になっている場合について説明する。
【００４４】
暖房運転時において、制御部４は、四路切換弁１２を制御して図１の実線で示す流路を選択させ、圧縮機１１と室内熱交換器１５とを連通させる。通常、第３膨張弁１４ｃは開いているので、室内熱交換器１５と吸着熱交換器１１６は凝縮器として機能する。室外熱交換器１３と結露熱交換器１１７とは蒸発器として機能する。すなわち、圧縮機１１より吐出された高温・高圧の冷媒が室内熱交換器１５に導入され、室内熱交換器１５内の冷媒は室内空気と熱交換した後、吸着熱交換器１１６に導入され、吸着熱交換器１１６内の冷媒は外気と熱交換する。その結果、冷媒の温度が低下し、中温・高圧の状態になる。
【００４５】
吸着熱交換器１１６を出た冷媒は、第１膨張弁１４ａで減圧され、一部は室外熱交換器１３に導入され、その他は第２膨張弁１４ｂでさらに減圧されて結露熱交換器１１７に導入される。制御部４は、第２膨張弁１４ｂを制御して結露熱交換器１１７の冷媒の蒸発温度が外気の露点温度以下となるように設定するので、結露熱交換器１１７の温度は室外熱交換器１３の温度よりも低くなる。その結果、外気の露点温度が低く室外熱交換器１３で結露しないときでも、結露熱交換器１１７では常に結露する。
【００４６】
さらに、吸着熱交換器１１６では、冷媒が吸着剤を加温して吸着剤に含まれる水分を空気中へ脱離させているので、吸着熱交換器１１６を通過する空気には吸着剤から脱離された水分が含まれている。その水分も結露熱交換器１１７を通過するときに結露するので、結露熱交換器１１７で発生する結露水は、吸着熱交換器１１６がない場合よりも多くなる。室外熱交換器１３を出た冷媒および結露熱交換器１１７を出た冷媒は、再び圧縮機１１に吸入される。
【００４７】
吸着熱交換器１１６の吸着剤に吸着されている水分は、加温時間の増加に伴って減少していくので、定期的に水分を吸着させることが好ましい。本実施形態では、定期的に第３膨張弁１４ｃで冷媒流路を絞って冷媒を減圧して、吸着熱交換器１１６で冷媒を蒸発させ、吸着剤の冷却を行なう。その結果、吸着剤に空気中の水分が吸着される。
【００４８】
＜特徴＞
（１）
空気調和装置１は、室外ユニット２と、捕水ユニット７と、加湿ユニット２１とを備えている。捕水ユニット７は、外気に含まれる水分を結露させる結露熱交換器１１７を有している。加湿ユニット２１は、捕水ユニット７で採取された結露水を使用して室内を加湿する。捕水ユニット７は、室外ユニット２より上方に配置され、室外ユニット２より高い位置の外気から結露水を採取しており、室外ユニットの高さ位置の外気から採取するよりも塵埃の含有量が少ない。その結果、結露水を浄化するフィルタが長く清浄に保たれる。
【００４９】
（２）
捕水ユニット７は、結露熱交換器１１７に向う空気流を発生させるファン１１８をさらに有しているので、風量の調節が可能となり、結露熱交換器１１７で適量の結露水が発生するように制御される。ファン１１８はシロッコファンであるので、結露熱交換器１１７の空気抵抗が高くても風量を確保することができる。
【００５０】
（３）
結露熱交換器１１７は、室外熱交換器１３が属する冷媒回路１０に含まれており、冷媒の蒸発温度を制御して結露熱交換器１１７で発生する結露水を増減することができる。その結果、加湿用の水の過不足が防止される。
【００５１】
（４）
捕水ユニット７は、吸着熱交換器１１６をさらに有している。吸着熱交換器１１６には、高温時に水分を脱離する吸着剤が担持されている。吸着熱交換器１１６は、結露熱交換器１１７を含む冷媒回路１０の高圧側に接続され、結露熱交換器１１７に向う空気流の通過領域内に配置されている。吸着熱交換器１１６は放熱器として高温となり、吸着剤が水分を脱離する。吸着熱交換器１１６を通過してきた空気は吸着剤から脱離された水分を含んでいるので、吸着熱交換器１１６がない場合に比べて結露熱交換器１１７で発生する結露水は増加する。その結果、水不足による加湿能力の低下が防止される。
【００５２】
＜変形例＞
図５は、本発明の実施形態の変形例に係る空気調和装置の構成図である。上記実施形態と同じ部品については同様の符号を付与して説明を省略する。図５において、空気調和装置１０１は、２つの独立した冷媒回路１０，１１０を備えている。冷媒回路１０は、圧縮機１１、四路切換弁１２、室外熱交換器１３、第１膨張弁１４ａ、室内熱交換器１５及びアキュームレータ２０などが接続されて形成されている。
【００５３】
第２冷媒回路１１０は、圧縮機１１１、四路切換弁１１２、吸着熱交換器１１６、第２膨張弁１４ｂ、結露熱交換器１１７及びアキュームレータ１２０などが接続さて形成されている。冷媒回路１０は室内空調用として使用され、第２冷媒回路１１０は結露水生成用として使用される。制御部１０４は、ＣＰＵ及びメモリを内蔵しており、空気調和装置１０１の各機器を制御している。
【００５４】
＜空気調和装置の動作＞
第２冷媒回路１１０おいて、制御部１０４は四路切換弁１１２を制御して図１の実線で示す流路を選択させ、圧縮機１１１と吸着熱交換器１１６とを連通させる。すなわち、圧縮機１１１より吐出された高温・高圧の冷媒が吸着熱交換器１１６に導入され、室外空気と熱交換して温度が低下し、中温・高圧の状態になる。
【００５５】
吸着熱交換器１１６を出た冷媒は、第２膨張弁１４ｂで減圧されて結露熱交換器１１７に導入される。結露熱交換器１１７の蒸発温度は、外気から水分を結露させるために外気の露点温度以下となるように設定されている。結露熱交換器１１７は、吸着熱交換器１１６を通過した空気流の下流に配置されている。吸着熱交換器１１６では、冷媒が吸着剤を加温して吸着剤に含まれる水分を脱離させているので、吸着熱交換器１１６を通過する空気には吸着剤から脱離された水分が含まれている。その水分も結露熱交換器１１７を通過するときに結露するので、結露熱交換器１１７で発生する結露水は、吸着熱交換器１１６がない場合よりも多くなる。
【００５６】
吸着熱交換器１１６の吸着剤に吸着されている水分は、加温時間の増加に伴って減少していくので、定期的に水分を吸着させることが好ましい。本変形例では、制御部１０４が、定期的に四路切換弁１１２を制御して図５の点線で示す流路を選択させて吸着熱交換器１１６を蒸発器として機能させ、吸着剤の冷却を行なっている。その結果、吸着剤に空気中の水分が吸着される。
【００５７】
結露熱交換器１１７が着霜したとき、制御部１０４が、四路切換弁１１２を制御して図５の点線で示す流路を選択させて結露熱交換器１１７を凝縮器として機能させ、結露熱交換器１１７に高温冷媒を流す。高温冷媒の放熱によって結露熱交換器１１７は除霜される。このときも、吸着熱交換器１１６は蒸発器として機能しているので、吸着剤が冷却され、吸着剤に空気中の水分が吸着される。
【００５８】
＜変形例の特徴＞
空気調和装置１０１は、室内空調に使用される冷媒回路１０と、結露水を発生させるために使用される第２冷媒回路１１０とを備えている。第２冷媒回路１１０は、凝縮器である吸着熱交換器１１６と、蒸発器である結露熱交換器１１７とを有している。吸着熱交換器１１６を通過した空気は、吸着剤から脱離された水分を含んでおり、その水分は結露熱交換器１１７を通過するときに結露する。このため、結露熱交換器１１７で発生する結露水は、吸着熱交換器１１６が無い場合よりも多い。その結露水は加湿ユニット２１へ搬送されて加湿用の水として使用される。第２冷媒回路１１０は、室内空調に使用される冷媒回路１０から独立しており、結露水を備蓄する運転を単独で行なうことができるので、暖房性能を低下させることなく加湿用の水が充足される。
【産業上の利用可能性】
【００５９】
以上のように、本発明によれば、結露熱交換器で結露水が常に発生し、結露水を加湿用の水として貯えるので、使用者による給水を必要としない無給水の加湿手段を備えた空気調和装置に有用である。
【図面の簡単な説明】
【００６０】
【図１】本発明の実施形態に係る空気調和装置の構成図。
【図２】空気調和装置の室外ユニット及び捕水ユニットの構造を示す斜視図。
【図３】タンクの斜視図。
【図４】水の循環経路を示す回路図。
【図５】本発明の実施形態の変形例に係る空気調和装置の構成図。
【符号の説明】
【００６１】
１，１０１  空気調和装置
２  室外ユニット
７  捕水ユニット
１０，１１０  冷媒回路
１３  室外熱交換器（蒸発器）
２１  加湿ユニット
１１６  吸着熱交換器
１１７  結露熱交換器（結露手段、第２蒸発器）
１１８  ファン
【図１】
2008256284.tif 000003
【図２】
2008256284.tif 000004
【図３】
2008256284.tif 000005
【図４】
2008256284.tif 000006
【図５】
2008256284.tif 000007